(57)【要約】【課題】作業者の労力を軽減して効率的に地盤への打ち込みが行える杭の打込み装置を提供する。【解決手段】上下方向に延びるガイド部材２の外周に上下動自在に嵌め込まれたスリーブ３と、ガイド部材２の下端に取り付けられて前記ガイド部材２に沿って落下する前記スリーブ３との衝突によって下方への衝撃力を受けるヘッド部材４とを備えている。ヘッド部材４は、地理的情報が付されて地盤Ｇに一部もしくは全部が埋入される杭Ｐの頭部ｆに被せられて、杭Ｐに埋入方向への衝撃力を伝達する。【選択図】      図１
2004333126.tif 000002
【特許請求の範囲】
【請求項１】
上下方向に延びるガイド部材の外周に上下動自在に嵌め込まれたスリーブと、
前記ガイド部材の下端に取り付けられて、前記ガイド部材に沿って落下する前記スリーブとの衝突によって下方への衝撃力を受けるヘッド部材とを備え、
前記ヘッド部材は、地盤に一部もしくは全部が埋入される杭の頭部に被せられて杭に埋入方向への前記衝撃力を伝達するものである杭の打込み装置。
【請求項２】
請求項１において、さらに、前記スリーブに設けられ、前記ガイド部材とスリーブとの相対移動の阻止および許容を行うロック機構を備えた杭の打込み装置。
【請求項３】
請求項１または２において、前記ヘッド部材は、前記杭の頭部の形状寸法に合致する複数のもののうちから選択できるよう、前記ガイド部材の下端に着脱自在に取り付けられている杭の打込み装置。
【発明の詳細な説明】
【０００１】
【発明の属する技術分野】
本発明は、土地の境界標示や測量などに用いられる標示杭のような杭の打込み装置に関する。
【０００２】
【従来の技術】
一般に、杭、例えば標示杭は、細長い形状を有して地盤に一部もしくは全部が埋入され、土地の境界表示や区画番号、基準点からの距離、地下埋設物の情報などの地理的情報が頂部に付された金属や樹脂製のキャップを備えている（特許文献１参照）。このような標示杭の地盤への打ち込みは、これまでは作業員がハンマーなどの工具を使って打ち込んだり、重機のショベル部分で上から叩いて打込んでいたが、作業員にとって肉体的負担が大きいうえ、作業効率も低い。また、狭い場所では、重機の乗り入れができず、すべて人力に頼らざるをえない。
【０００３】
【特許文献１】
特開平９−５３９４２号公報（図１）
【０００４】
本発明は、上記課題に鑑みてなされたもので、杭の打込み作業が迅速かつ効率的に行え、作業者にとっての作業負担も少ない杭の打込み装置を提供することを目的とする。
【０００５】
【課題を解決するための手段】
前記した目的を達成するために、本発明の杭の打込み装置は、上下方向に延びるガイド部材の外周に上下動自在に嵌め込まれたスリーブと、前記ガイド部材の下端に取り付けられて前記ガイド部材に沿って落下する前記スリーブとの衝突によって下方への衝撃力を受けるヘッド部材とを備え、前記ヘッド部材は、地盤に一部もしくは全部が埋入される杭の頭部に被せられて杭に埋入方向への前記衝撃力を伝達するものである。
【０００６】
この構成によると、ガイド部材下端のヘッド部材を杭の頭部に被せ、かつこの杭の先端が埋入すべき地盤に垂直に立つように杭の打込み装置を支持しておき、ガイド部材の上方に位置させたスリーブを前記ガイド部材に沿って落下させることによって、前記ヘッド部材に対して衝撃力が付与される。このときの衝撃力は、へッド部材を介して埋入方向への打込み力として前記杭に伝達され、前記杭が地盤に埋入される。このように、ハンマーなどを使った人力による杭の打込みではないので、打込み作業における作業者の肉体的疲労や負担が軽減され、打込み作業が容易になる。
【０００７】
前記構成において、この杭の打込み装置は、好ましくは、さらに、前記スリーブに設けられ、前記ガイド部材とスリーブとの相対移動の阻止および許容を行うロック機構を備えている。この構成によれば、この装置の使用時に、ロック機構を解除してスリーブをガイド部材に沿って落下させることができ、装置を使用しないときには、前記ロック機構を作動させて前記ガイド部材とスリーブとの相対移動を阻止し、前記スリーブが動かないように固定できるので、不使用時にスリーブが不測に動くことがなく、この装置の保管や持ち運びが容易となる。
【０００８】
前記構成において、好ましくは、ヘッド部材は、前記杭の頭部の形状寸法に合致する複数のもののうちから選択できるよう、前記ガイド部材の下端に着脱自在に取り付けられている。このことにより、杭の頭部には、その頭部の形状寸法に合致したヘッド部材を被せることができるので、スリーブの落下による衝撃力が杭に効率よく伝達される。したがって、杭の打込み作業が一層容易になる。
【０００９】
【発明の実施の形態】
以下、本発明の好ましい実施形態について図面を参照しながら説明する。図１は、本発明の一実施形態に係る杭の打込み装置を示す斜視図である。同図に示す杭の打込み装置１は、上下方向に延びる棒状の形状を有するガイド部材２と、このガイド部材２の外周に上下動自在に嵌め込まれた筒状のスリーブ３とを備えている。そして、前記ガイド部材２の下端には、ヘッド部材４が着脱自在に取り付けられ、このヘッド部材４は前記ガイド部材２に沿って落下させたスリーブ３との衝突によって下方への衝撃力を受けるようになっている。また、前記スリーブ３の上端寄りには、主にスリーブ３を手で持ち上げるのを目的とした第１カラー６が、スリーブ３の下端には、主にヘッド部材４との衝突面積を増大させて、衝突によるヘッド部材の破損の回避を目的とした第２カラー７がそれぞれ、溶接のような手段で固定されている。
【００１０】
前記ガイド部材２は例えばスチール製で、その上端には同ガイド部材２の軸径よりも大きく、前記スリーブ３の内径よりも僅かに小径となった円板部２ａが設けられ、スリーブ３内をガイド部材２が上下動するときの接触面積を小さくして滑り摩擦を減じるようになっている。
【００１１】
一方、このガイド部材２の下端部２ｂは、図３に示すように、ヘッド部材４の上部に形成したボス部４ａの挿入孔４０内に差し込んで嵌合できる寸法となっており、嵌合後、ボス４ａおよび前記下端部２ｂに設けた径方向のピン孔４２，４４に、径方向から、回動自在な抜止め爪８１付のピン８を挿入して連結している。
【００１２】
図２に示すように、ガイド部材２とスリーブ３とは、ロック機構５によってその相対移動が阻止および許容できるように構成されている。すなわち、このロック機構５は、前記第１カラー６の一側に形成された切欠部６１に支軸５０が設けられ、手動操作されるロックレバー５１が支軸５０に回動自在に支持されて、その基部５１ａが、スリーブ３に設けたスロット３ａ内に進入している。支軸５０を支点としたロックレバー５１の回動動作によって、その基部５１ａがスロット３ａを通ってガイド部材２に対して接触または離間することにより、ガイド部材に対するスリーブ３の移動を阻止（ロック）したり、スリーブ３の移動を許容するするようになっている。
【００１３】
より具体的には、ロックレバー５１が実線の位置にあるとき、前記ロックレバー５１の基部５１ａがスリーブ３のスロット３ａ部分からスリーブ３内部へ入り込み、前記基部５１ａの先端がガイド部材２の外周面に圧接してロックがかかり、前記スリーブ３のガイド部材２に対する移動が阻止される。ロックレバー５１を実線位置から支軸５０回りに二点鎖線の位置まで上向きに回動すると、前記ロックレバー５１の基部５１ａがガイド部材２の外周面から離間してロックが解除され、前記スリーブ３はガイド部材２に沿って相対移動できる状態となる。
【００１４】
前記ヘッド部材４は、杭Ｐの頭部ｆに被せられる。この杭Ｐは、例えば、土地の境界表示や区画番号、基準点からの距離、地下埋設物の情報などの地理的情報が付されて地盤Ｇに一部もしくは全部が埋入される標示杭である。ヘッド部材４は、例えば図４（Ａ）の斜視図および図４（Ｂ）の底面図に示すように、上壁４ｂと側壁４ｃとを有する直方体形状で、下方に開口した横断面四角形の開口部４ｄを備えており、この開口部４ｄが図１の標示杭Ｐの横断面四角形の頭部ｆに嵌め込まれる。ヘッド部材４は、標示杭Ｐの頭部ｆの形状・寸法に合わせて図４の開口部４ｄの形状・寸法が異なる複数のものを用意しておき、適宜選択して、ガイド部材２の下端部２ｂに取り付けられる。
【００１５】
図５は標示杭Ｐの頭部形状が四角形または円形のものに用いることができるヘッド部材４を示し、（Ａ）はその斜視図、（Ｂ）は底面図である。このヘッド部材４は下方に開口した筒形である。ヘッド部材４の交換は、図３に示したピン８の着脱により、容易に行うことができる。また、ヘッド部材４に代えて、図６に示すくさび部材４０または図７に示す釘打ち部材４６を、ガイド部材２の下端部２ｂに取り付けることもできるようになっている。釘打ち部材４６は、下面中央部に設けた凹所４６ａに釘９０の頭部を嵌め込むようになっている。
【００１６】
次に、上記構成の作用について説明する。装置の使用時にあっては、あらかじめ、図１のガイド部材２の下端部２ｂに標示杭Ｐの頭部ｆの形状・寸法に合致したヘッド部材４を選んで取り付けておく。地盤Ｇの所定位置に標示杭Ｐを立て、この標示杭Ｐの頭部ｆに、地盤Ｇに対して垂直に立つように手で支持した打込み装置１のヘッド部材４を被せ、ロック機構５を解除して、すなわち、ロックレバー５１を図２に二点鎖線で示す位置に回動させて、図１のスリーブ３の第１カラー６を手で持って、スリーブ３をガイド部材２の上方位置まで移動させる。次いで、前記スリーブ３から手を離してスリーブ３を前記ガイド部材２に沿って自然落下させ、下端の第２カラー７をヘッド部材４の上面に衝突させ、ヘッド部材４に衝撃力を付与する。この衝撃力は標示杭Ｐに伝達され、標示杭Ｐは地盤Ｇに対して打ち込まれる。この動作は通常反復される。
【００１７】
地盤Ｇが硬い場合、ガイド部材２の下端部２ｂに図６のくさび部材４０を取り付けて、上記と同様の打込み操作を行って、下穴をあけておき、この下穴に図１の標示杭Ｐを立てる。また、図１の標示杭Ｐの頂面に、例えば識別番号を標示したプレート９２を取り付ける場合、あるいは、アスファルトやコンクリートの舗装路のような路面に地理的情報の標示器のような標識などを釘で固定する場合、ガイド部材２の下端部２ｂに図７の釘打ち部材４６を取り付け、同様の打込み操作を行う。これにより、図１の標示杭Ｐの頂面に釘９０を打ち込んでプレート９０を標示杭Ｐに固定したり、路面に釘を打ち込んで標識を固定することができる。
【００１８】
このように、スリーブ３をガイド部材２に沿って上方位置から落下させることで、スリーブ３をヘッド部材４に衝突させ、その衝撃力によって標示杭を地盤に打ち込むので、作業者の肉体的負担を軽減して標示杭の打込み作業が容易に行える。一方、保管や輸送時などの、装置を使用しない場合には、前記ロック機構５によりロックすることにより、すなわちロックレバー５１を図３に実線で示す位置に回動させることにより、ガイド部材２に対するスリーブ３の相対移動を阻止して、前記スリーブ３が意に反して移動しないようにする。
【００１９】
上記実施形態では杭として標示杭Ｐを例示したが、本発明の打込み装置は、土木用、農業用など、あらゆる用途の杭の打ち込みに使用することができる。
【００２０】
【発明の効果】
以上のように、本発明にかかる杭の打込み装置によれば、ガイド部材の上方位置に持ち上げたスリーブの位置エネルギーを有効に活用し、杭の頭部に被せたヘッド部材に対する前記スリーブ落下時の衝撃力によって地盤への杭の打ち込みが行えるので、作業者の肉体的疲労など負担が大幅に軽減でき、迅速かつ効率的な打込み作業が行える。
【図面の簡単な説明】
【図１】本発明の一実施形態にかかる杭の打込み装置の斜視図である。
【図２】同打込み装置のロック機構の拡大斜視図である。
【図３】同打込み装置の下部を示す分解斜視図である。
【図４】（Ａ）はヘッド部材の斜視図、（Ｂ）は同底面図である。
【図５】（Ａ）はヘッド部材の他の例の斜視図、（Ｂ）は同底面図である。
【図６】くさび部材を示す斜視図である
【図７】釘打ち部材を示す斜視図である
【符号の説明】
１…杭の打込み装置、２…ガイド部材、３…スリーブ、４…ヘッド部材、５…ロック機構、６…第１カラー、７…第２カラー、４０…くさび部材、４６…釘打ち部材、Ｐ…杭、ｆ…頭部
【図１】
2004333126.tif 000003
【図２】
2004333126.tif 000004
【図３】
2004333126.tif 000005
【図４】
2004333126.tif 000006
【図５】
2004333126.tif 000007
【図６】
2004333126.tif 000008
【図７】
2004333126.tif 000009